(57)【要約】【課題】  出力電圧の出力端に漏れ電圧が印加されても、電源装置が問題なく動作可能となるよう改善された電源装置及びその出力電圧立ち上がり制御回路を提供する。【解決手段】  直流電圧を発生する＋５Ｖ  ＤＣ−ＤＣコンバータ４，＋３．３Ｖ  ＤＣ−ＤＣコンバータ５と、これらが発生した直流電圧をそれぞれ出力する＋５Ｖ出力端７，＋３．３Ｖ出力端８と、起動時に規定された順序かまたはほぼ同様に＋５Ｖ出力端７，＋３．３Ｖ出力端８からの各直流電圧が立ち上がるよう＋５Ｖ  ＤＣ−ＤＣコンバータ４，＋３．３Ｖ  ＤＣ−ＤＣコンバータ５を制御するトランジスタ１０等と、＋５Ｖ出力端７，＋３．３Ｖ出力端８の部分にアノード側を電源内部側に向けて配設されたダイオード１６，１７とを有する。【選択図】      図１
2005261115.tif 000002
【特許請求の範囲】
【請求項１】
直流電圧を発生する電圧発生部と、前記電圧発生部が発生した直流電圧をそれぞれ出力する複数の出力端と、起動時に前記複数の出力端からの各直流電圧が規定された順序かまたはほぼ同様に立ち上がるよう前記電圧発生部を制御する制御部と、前記電圧発生部と前記出力端の間にアノード側を前記電圧発生部側に向けて配設されたダイオードとを有することを特徴とする電源装置。
【発明の詳細な説明】
【技術分野】
【０００１】
本発明は電源装置に関し、特に、複数の出力電圧を出力し、その複数の出力電圧の起動時に各出力電圧が規定された順序かまたはほぼ同様に立ち上がるよう制御する電源装置に関する。
【背景技術】
【０００２】
従来のこの種の電源装置は、特にコンピュータ装置に使用され、オンオフされる複数の出力電圧を出力し、さらにその複数の出力電圧の立ち上がり時に、規定された順序かまたはほぼ同様に各出力電圧が立ち上がるよう制御するのに用いられている。
【０００３】
例えば、特許文献１には、他系統の電源電圧が、直列に接続された２つの抵抗の両端に供給され、その２つの抵抗により分圧された電圧がトランジスタのベースに供給されており、他系統の電源電圧が定格値になるとトランジスタがオンして、入力電源から入力電圧が入力され、出力電圧Ｖｏｕｔが負荷に供給される電源装置が開示されている。
【０００４】
【特許文献１】特開２００２−２３８６５号公報
【発明の開示】
【発明が解決しようとする課題】
【０００５】
電源装置は、一般的に外部から電圧が印加されることはないという前提で設計されているが、近年、コンピュータ装置の複雑化により、常時コンピュータに供給されるスタンバイ電圧がコンピュータ装置内部を経由して、ＯＮ／ＯＦＦされる出力電圧の出力端に漏れ電圧として印加されることがある。上述の特許文献１に開示の従来技術においては他系統の電源電圧にこのような漏れ電圧が印加されることに何らかの対策が施されないと正常に動作しないおそれがある。
【０００６】
本発明の主な目的は、出力電圧の出力端に漏れ電圧が印加されても、電源装置が問題なく動作可能となるよう改善された電源装置を提供することにある。
【課題を解決するための手段】
【０００７】
本発明の電源装置は、直流電圧を発生する電圧発生部と、前記電圧発生部が発生した直流電圧をそれぞれ出力する複数の出力端と、起動時に前記複数の出力端からの各直流電圧が規定された順序かまたはほぼ同様に立ち上がるよう前記電圧発生部を制御する制御部と、前記電圧発生部と前記出力端の間にアノード側を前記電圧発生部側に向けて配設されたダイオードとを有している。
【発明の効果】
【０００８】
本発明によれば、電源装置の出力端にアノード側を電源内部側に向けてダイオードを追加したことにより、出力端の部分に漏れ電圧が印加されても、ダイオードのアノード側に印加されることを防止できる。従って、装置側からの漏れ電圧の有無に関わらず、起動時に複数の出力端からの各直流電圧が規定された順序かまたはほぼ同様に立ち上がるよう制御する出力電圧立ち上がり制御機能を確実に正常動作可能とすることができる。
【発明を実施するための最良の形態】
【０００９】
次に、本発明を実施するための最良の形態について図面を参照して詳細に説明する。
【００１０】
図１は、本発明の電源装置の一実施例の構成を示す回路図である。電源装置１は、ＡＣ入力端に接続される交流入力電圧１５を入力し、装置２７に対し複数の出力端、すなわち、＋５Ｖ出力端７，＋３．３Ｖ出力端８，＋５Ｖｓｂ出力端２１から直流電圧を出力する直流電源である。
【００１１】
ＡＣ入力端２にＡＣ１００Ｖ〜ＡＣ２４０Ｖの交流入力電圧１５が入力されると、ＡＣ−ＤＣコンバータ３によりＤＣ電圧に変換され、＋５Ｖ  ＤＣ−ＤＣコンバータ４，＋３．３Ｖ  ＤＣ−ＤＣコンバータ５，＋５Ｖｓｂ  ＤＣ−ＤＣコンバータ２０に入力される。
【００１２】
＋５Ｖｓｂ  ＤＣ−ＤＣコンバータ２０は、ＤＣ電圧が入力されると、外部からのＯＮ指示無しに、＋５Ｖのスタンバイ電圧を＋５Ｖｓｂ出力端２１より負荷に出力する。
【００１３】
＋５Ｖ  ＤＣ−ＤＣコンバータ４は、＋５Ｖ制御回路６からのＯＮ指示１８が入力されると、起動を開始する。その際、電圧の立ち上がりの傾きは、＋５Ｖ制御回路６とグランドの間に接続されたコンデンサ１４に＋５Ｖ制御回路６からある一定の電流を流すことにより、コンデンサ１４にチャージされる電圧の増加の傾きによって制御される。
【００１４】
また＋３．３Ｖ  ＤＣ−ＤＣコンバータ５は、＋３．３Ｖ制御回路２２からのＯＮ指示１９が入力されると、起動を開始する。その際、電圧の立ち上がりの傾きは、＋３．３Ｖ制御回路２２とグランドの間に接続されたコンデンサ２３に＋３．３Ｖ制御回路２２からある一定の電流を流すことにより、コンデンサ２３にチャージされる電圧の増加の傾きによって制御される。
【００１５】
＋５Ｖ  ＤＣ−ＤＣコンバータ４の出力電圧は、抵抗９を通りトランジスタ１０のベースに入力される。＋３．３Ｖ  ＤＣ−ＤＣコンバータ５の出力電圧は、トランジスタ１０のエミッタに入力される。トランジスタ１０のコレクタは、抵抗１３を介して、＋５Ｖ制御回路６とコンデンサ１４の間に接続される。トランジスタ１０のベースとエミッタの間にコンデンサ１２が接続される。またトランジスタ１０のベースはツェナーダイオード１１を介してグランドに接続される。
【００１６】
トランジスタ１０、コンデンサ１２，１４、＋５Ｖ制御回路６及び＋３．３Ｖ制御回路２２は、電源起動時、＋３．３Ｖの方が＋５Ｖより早く立ち上がるかまたはほぼ同様に立ち上がるよう＋５Ｖ  ＤＣ−ＤＣコンバータ４，＋３．３Ｖ  ＤＣ−ＤＣコンバータ５を制御する。具体的には、＋５Ｖの方が＋３．３Ｖよりも規定の電圧以上早く立ち上がらないようにする制御を行う。もし、＋５Ｖの立ち上がりの傾きが＋３．３Ｖと比較して早く、コンデンサ１２にチャージされる電圧が例えば０．５Ｖ以上になると、トランジスタ１０がＯＮし、コンデンサ１４にチャージされた電圧を抵抗１３，トランジスタ１０のコレクタ−エミッタを通して＋３．３Ｖに放電する。
【００１７】
一般的な装置２７では装置２７内部の＋５Ｖｓｂ出力端２１からのスタンバイ電圧の負荷Ｚ５Ｖｓｂ２４と＋５Ｖ出力端７からの電圧の負荷Ｚ５Ｖ２５、及び＋３．３Ｖ出力端８からの電圧の負荷Ｚ３．３Ｖ２６は分離されているため、＋５Ｖｓｂ出力端２１から出力されるスタンバイ電圧は、＋５Ｖ出力端７，＋３．３Ｖ出力端８へは漏れ電圧として印加されない。したがって、電源起動時は、単純に＋５Ｖ出力端７と＋３．３Ｖ出力端８から出力される電圧値を比較し、＋５Ｖ出力端７の電圧値が、＋３．３Ｖ出力端８よりも０．５Ｖ高くなると、トランジスタ１０がＯＮ状態となり、＋５Ｖ制御回路６が＋５Ｖ  ＤＣ−ＤＣコンバータ４の動作を制御して、＋５Ｖ出力端７の電圧の立ち上がりを止める。その間も＋３．３Ｖ  ＤＣ−ＤＣコンバータ５は動作しつづけるため、ある時点で＋３．３Ｖ出力端８の電圧値は＋５Ｖ出力端７の電圧値に近づき、その電位差は０．５Ｖ以下となると、トランジスタ１０がＯＦＦ状態となり、＋５Ｖ制御回路６が再び＋５Ｖ  ＤＣ−ＤＣコンバータ４の出力電圧を上げるよう制御する。この動作により、電源起動時は＋５Ｖ出力端７は＋３．３Ｖ出力端８よりも、０．５Ｖ以上は高くならないようにしている。但し、＋３．３Ｖ出力端８の電圧値が＋３．３Ｖに達した後は、この限りではない。
【００１８】
一方、図２に示すようなダイオード１６，１７が無い構成では、電源装置１を漏れ電圧２８がある装置２７と接続し、＋５Ｖ  ＤＣ−ＤＣコンバータ４及び＋３．３Ｖ  ＤＣ−ＤＣコンバータ５が起動する以前に、装置２７内部を経由し＋５Ｖｓｂ出力端２１から出力されるスタンバイ電圧が漏れ電圧２８として＋５Ｖ出力端７に０．５Ｖ以上印加されている場合は、最初からトランジスタ１０がＯＮ状態となってしまうため、＋５Ｖ制御回路６が＋５Ｖ  ＤＣ−ＤＣコンバータ４を動作させないため、コンデンサ１４のチャージ電位が上がらず、電源は正常に起動できなかった。
【００１９】
これに対して本発明の電源装置１では、＋５Ｖ  ＤＣ−ＤＣコンバータ４と＋５Ｖ出力端７の間に、アノード側を＋５Ｖ  ＤＣ−ＤＣコンバータ４側にしてダイオード１６を備え、また＋３．３Ｖ  ＤＣ−ＤＣコンバータ５と＋３．３Ｖ出力端８の間にもアノード側を＋３．３Ｖ  ＤＣ−ＤＣコンバータ５側にしてダイオード１７を備えている。このダイオード１６とダイオード１７は、負荷側から＋５Ｖｓｂ出力端２１から出力されたスタンバイ電圧が装置２７内部を伝わって漏れ電圧となり、＋５Ｖ出力端７と＋３．３Ｖ出力端８に印加された場合でも、電源装置１の内部への進入を防止する。
【００２０】
従って、図１に示す本願発明の構成では図２の構成において漏れ電圧２８が大きい場合に発生する不具合を防止することが出来、例え＋５Ｖｓｂ出力端２１から出力されるスタンバイ電圧が漏れ電圧として＋５Ｖ出力端７に印加されても、ダイオード１６により、ダイオード１６のアノード側にはその電圧が印加されないため、トランジスタ１０のベースには＋５Ｖ  ＤＣ−ＤＣコンバータ４の出力電圧が正しい値のまま印加されることとなり、トランジスタ１０が予めＯＮ状態となることはない。
【００２１】
本発明の基本的構成は上記の通りであるが、各ＤＣ−ＤＣコンバータの出力電圧値は一例であり、それぞれ使用する装置の仕様に合った電圧値であれば良く、特に＋３．３Ｖ，＋５Ｖ，＋５Ｖｓｂに限定されるものではない。
【図面の簡単な説明】
【００２２】
【図１】本発明の電源装置の一実施例の構成を示す回路図である。
【図２】比較例の構成を示す回路図である。
【符号の説明】
【００２３】
１  電源装置
２  ＡＣ入力端
３  ＡＣ−ＤＣコンバータ
４  ＋５Ｖ  ＤＣ−ＤＣコンバータ
５  ＋３．３Ｖ  ＤＣ−ＤＣコンバータ
６  ＋５Ｖ制御回路
７  ＋５Ｖ出力端
８  ＋３．３Ｖ出力端
９，１３  抵抗
１０  トランジスタ
１１  ツェナーダイオード
１２，１４，２３  コンデンサ
１５  交流入力電圧
１６，１７  ダイオード
１８，１９  ＯＮ指示
２０  ＋５Ｖｓｂ  ＤＣ−ＤＣコンバータ
２１  ＋５Ｖｓｂ出力端
２２  ＋３．３Ｖ制御回路
２４  負荷Ｚ５Ｖｓｂ
２５  負荷Ｚ５Ｖ
２６  負荷Ｚ３．３Ｖ
２７  装置
２８  漏れ電圧
【図１】
2005261115.tif 000003
【図２】
2005261115.tif 000004